(57)【要約】 【課題】  自販機の前面パネル面から商品の冷温表示板を取り除くことが出来、ダミー缶と押しボタン部との対応関係が直接的で商品特定が容易であり、押し間違いを解消し得ると共に、温・冷を明るく明瞭に表示し得る許かりでなく、温・冷表示の切換えが簡易な自動販売機の商品選択スイッチを提供する。【解決手段】  ケース体に配備される複数の透明押しボタン部の内面に銘板が配備され、この銘板の面内端部側に売切・準備中の表示部を備えるものであって、前記銘板の面内中央部側に商品の温・冷を表示する冷温表示部を設け、この冷温表示部に対応配備されるＬＥＤのオン・オフで冷温表示部の温又は冷の表示を行うことを特徴としている。【選択図】          図４
2010287147.tif 000002
【特許請求の範囲】
【請求項１】
ケース体に配備される複数の透明押しボタン部の内面に銘板が配備され、この銘板の面内端部側に売切・準備中の表示部を備えるものであって、前記銘板の面内中央部側に商品の温・冷を表示する冷温表示部を設け、この冷温表示部に対応配備されるＬＥＤのオン・オフで冷温表示部の温又は冷の表示を行うことを特徴とする自動販売機の商品選択スイッチ。
【請求項２】
前記冷温表示部は、温の文字と冷の文字を異なる無色の発光インクで印刷し、ＬＥＤの投光を受けて温の文字又は冷の文字がそれ自体、発光するようにしたことを特徴とする請求項１記載の自動販売機の商品選択スイッチ。
【請求項３】
前記冷温表示部は、温の文字と冷の文字を異なる無色の発光インクで、同位置に重ね刷りしたものであることを特徴とする請求項１記載の自動販売機の商品選択スイッチ。
【請求項４】
前記冷温表示部は、温の文字を赤色ＬＥＤの投光を受けて赤色に発光する無色の赤色発光インクで印刷し、冷の文字を青色ＬＥＤの投光を受けて青色に発光する無色の青色発光インクで印刷したことを特徴とする請求項１記載の自動販売機の商品選択スイッチ。
【請求項５】
前記冷温表示部は，商品の温・冷を象徴するイラストを異なる無色の発光インクで重ね刷りし、ＬＥＤの投光を受けて温のイラスト又は冷のイラストがそれ自体、発光するようにしたことを特徴とする請求項１記載の自動販売機の商品選択スイッチ。
【発明の詳細な説明】
【技術分野】
【０００１】
この発明は、自動販売機の商品選択スイッチに関する。
【背景技術】
【０００２】
図７は、現在、一般的に知られている自動販売機の正面図である。
自動販売機の前面パネル面３１には、下部に商品価格を表示したダミー缶３２と、商品の温・冷を表示する冷温表示板４と、商品選択スイッチ２とが上下方向へ３段にセット配置されている。
【０００３】
上記商品選択スイッチ２は、前面パネル面３１の表面に配備されるケース体２１に、複数個の透明押しボタン部２２が上記ダミー缶（実缶表示）３２に対応して配置され、透明押しボタン部２２の内側に銘板５が取付けられている。
【０００４】
図８は、上記銘板５を示す正面図である。
銘板５は、プラスチック製の薄板で、面内は例えば黒色インクで印刷した有色不透光地部５１で、一端部側に「売切」と「準備中」の文字を白抜きして、各ＬＥＤで点灯する売切表示部５２と、準備中表示部５３を設けている。
【０００５】
更に、面内中央部側には、コインが投入され商品の販売が可能状態となったことをランプで点灯表示する半透明のＡＰＩ表示部５４が設けられている。
【０００６】
商品購入者は、上段のダミー缶３２と、中段の冷温表示板４面内の暖か表示４１および冷たい表示４２を確認し、その後に希望商品に対応する透明押しボタン部２２を押して商品を購入する。
【特許文献１】特開平１０−１４９４８０号公報
【発明の開示】
【発明が解決しようとする課題】
【０００７】
上記自動販売機では、希望商品の選択に際して、所定間隔開いて上下方向へ３段に配列されるダミー缶（実缶表示）と、冷温表示板の表示文字と、透明押しボタン部とを見比べて購入商品を特定しなければならない。
【０００８】
一方、前面パネル面には、縦横に多数のダミー缶などがセット配列してあるため、この商品特定が煩わしい許かりでなく、目線を上下に移す際に商品特定を誤り、押しボタンの押し間違いが生じる虞れがあった。
【０００９】
また、商品の冷温表示板は、面内を適宜に区分けして「温」の範囲と「冷」の範囲を印刷表示した長尺な板状アクリル板で、ダミー缶と押しボタン部の間に介在配備するため、狭い前面パネル面内にとって必要悪と認識されていた。
【００１０】
更に、季節によって販売する商品の温・冷比率は大きく変化する。このため、四季によって変化する温・冷商品に応じた多数パターンの冷温表示板をストックする必要がある許かりでなく、交換作業が手間であるなどの不利があった。
【００１１】
この発明は、以上のような課題を解消させ、自販機の前面パネル面から商品の冷温表示板を取り除くことが出来、ダミー缶と押しボタン部との対応関係が直接的で商品特定が容易であり、押し間違いを解消し得ると共に、温・冷を明るく明
瞭に表示し得る許かりでなく、温・冷表示の切換えが簡易な自動販売機の商品選
択スイッチを提供することを目的とする。
【課題を解決するための手段】
【００１２】
この目的を達成させるために、この発明の自動販売機の商品選択スイッチでは、次のような構成としている。
【００１３】
自動販売機の商品選択スイッチは、ケース体に配備される複数の透明押しボタン部の内面に銘板が配備され、この銘板の面内端部側に売切・準備中の表示部を備えるものであって、前記銘板の面内中央部側に商品の温・冷を表示する冷温表示部を設け、この冷温表示部に対応配備されるＬＥＤのオン・オフで冷温表示部の温又は冷の表示を行うことを特徴としている。
【発明の効果】
【００１４】
このような構成を有する自動販売機の商品選択スイッチでは、透明押しボタン部の銘板に商品の温・冷を表示する冷温表示部を設け、ＬＥＤのオン・オフで温又は冷を表示することとしたから、ダミー缶と透明押しボタン部との間に介在し、邪魔な存在であった冷温表示板を取り除くことができる。
【００１５】
冷温表示板が不要となったことで、コスト削減が可能となった許かりでなく、ダミー缶と透明押しボタン部を近接して配置できるから、商品特定が簡明直截となり透明押しボタン部の押し間違いの虞れがない。
【００１６】
更に、ダミー缶に対応する直下の透明押しボタン部（銘板）、それ自体に「冷」または「温」の表示を行い、且つＬＥＤのオン・オフの簡易な操作で切換え表示し得るから、いかなる温・冷の配列パターンにも簡単迅速に対応できる。
【００１７】
また、冷温表示部はＬＥＤの投光を受けることで、「温」又は「冷」の表示、それ自体が発光する。従って、温・冷の表示が明るく且つ明瞭となり、外観体裁が美麗で自販機の装飾効果が向上する等、発明目的を達成した優れた効果を有する。
【発明を実施するための最良の形態】
【００１８】
以下、図面に基づき本発明に係る自動販売機の商品選択スイッチの具体的な実施の形態を説明する。
【００１９】
図１は、この発明の商品選択スイッチ２を配備した自動販売機３の前面パネル面３１を示す正面図である。
前面パネル面３１には、縦横に複数配列され下部に価格表示を備えるダミー缶（実缶表示）３２と、このダミー缶３２の下方に接近して配置された商品選択スイッチ２と、下方にコイン投入口３３、コイン返却レバー３４、コイン返却口３５および商品取出し口３６とが設けられている。
【００２０】
上記、商品選択スイッチ２は前面パネル面３１の表面に取り付けられる長尺なケース体２１と、このケース体２１に対し出没可能に配備され、上記各ダミー缶３２に対応して配置される透明押しボタン部２２と、透明押しボタン部２２の面内に配備される銘板１とから成る。
【００２１】
図２および図３は、商品選択スイッチ２を示す断面図で、図２は銘板１の売切表示部１４に対応する断面図、図３は銘板１の冷温表示部１１に対応する断面図である（図４参照）。
【００２２】
図２および図３で示すように、ケース体２１の裏板２１ａに回路基板２５を配備し、この基板２５上にスイッチ部（マイクロＳＷ）２８と、二つのＬＥＤ２６、２７が実装してある。
【００２３】
透明押しボタン部２２は、レンズ体で内面に銘板１を備え、バネ椀体２３によってケース体２１に対し出没可能にバネ付勢されている。また、バネ椀体２３にはスイッチ部２８をオンオフするスイッチ操作軸部２３ａが突設してある。
【００２４】
リフレクター（光の反射兼用区画リフレクター）２４は、売切表示用ＬＥＤ２６と銘板１の売切表示部１４とを連通させると共に、準備中表示用ＬＥＤ２７と銘板１の準備中表示部１５とを連通させている。
【００２５】
図４は、前記銘板１を示す正面図である。
銘板１は、プラスチック製（ポリカーボネイト製）の薄板で、面内は黒色インクで印刷された有色不透光地部１３と、一端部側に「売切」の文字と「準備中」の文字を白抜きして売切表示部１４と準備中表示部１５を設けている。
【００２６】
また、銘板１の面内中央部側には白抜きの透明輪郭部１２を設け、この透明輪郭部１２の面内中央に、冷温表示部１１を配備している。冷温表示部１１は、「冷」と「温」の文字１１ｂ、１１ａを無色の発光インクで同じ位置に重ね刷りすると共に、冷温表示部１１の外周部は黒色インクで不透光地部１１ｃに設定してある。
【００２７】
冷温表示部１１を構成する「冷」の文字１１ｂは、無色の青色発光インク（帝国インキ製造株式会社製の「１３インキシリーズ」の「１３−８１２０５ＭＭ・ＢＬＵＥ」）で印刷している。
【００２８】
図３で示すように、「冷」の文字１１ｂは回路基板２５に実装するＬＥＤ、つまり青色発光素子２９ｂの投光を受けると、「冷」の文字、それ自体が青色に発光する。これにより、対応商品が「冷たい」商品であることを表示する。
【００２９】
更に、冷温表示部１１を構成する「温」の文字１１ａは、無色の赤色発光インク（帝国インキ製造株式会社製の「１３インキシリーズ」の「１３−８１２０５ＭＭ・ＲＥＤ）で印刷している。
【００３０】
図３で示すように、「温」の文字１１ａは回路基板２５に実装するＬＥＤ、つまり赤色発光素子２９ａの投光を受けると、「温」の文字、それ自体が赤色に発光する。これにより、対応商品が「暖かい」商品であることを表示する。
【００３１】
尚、上記冷温表示部１１には、実施の形態では黒色の有色透光性インクが重ね刷りしてある。従って、冷温表示部１１の「温」の文字１１ａと「冷」の文字１１ｂは、対応するＬＥＤ２９ａ、２９ｂが点灯しない状態では、冷温表示部１１、つまり透明輪郭部１２の面内は黒一色と外観される。
【００３２】
このような構成を有する自動販売機の商品選択スイッチでは、図５で示すように、ダミー缶３２が例えば「暖かい商品」である場合には、対応する透明押しボタン部２２は、赤色のＬＥＤ２９ａが点灯する。この赤色ＬＥＤ２９ａの投光を受けて、白抜きの透明輪郭部１２が赤色に照らされると共に、冷温表示部１１の「温」の文字１１ａのみが赤色で発光表示する。
【００３３】
一方、ダミー缶３２が「冷たい商品」である場合は、対応する透明押しボタン部２２は、青色のＬＥＤ２９ｂが点灯し、この青色投光を受けて、透明輪郭部１２が青く照らされると共に、冷温表示部１１の「冷」の文字１１ｂのみが青色で発光表示する。
【００３４】
この冷温表示部１１では、「温」の文字１１ａと「冷」の文字１１ｂを、同位置の重ね刷りとしたから、狭い銘板の面内を有効活用でき大きな文字で表示し得る。また、冷温表示部１１のいずれかの文字１１ａ、１１ｂが発光している際は、当然に売切表示部１４および準備中表示部１５は点灯しないため、冷温表示部１１の発光表示が一層際立つ。
【００３５】
更に、実施に際しては、コインが投入され商品購入が可能であると判断された場合に、例えば青色ＬＥＤ（赤色ＬＥＤ２９ａ）２９ｂを点滅点灯させ、「冷」の文字１１ｂ（或いは「温」の文字１１ａ）の発光を点滅表示（ＡＰＩ表示）させるようにしても良い。
【００３６】
尚、実施の形態では、冷温表示部１１は、「温」と「冷」の文字で構成した例を示したが、実施に際しては冷温表示部１１を文字に変えて、冷・温を象徴するイラストをＬＥＤ隠し印刷として構成しても良い。
【００３７】
また、実施の形態では、売切表示部１４と準備中表示部１５とを上下２段に配置した例を示したが、実施に際しては図６で示すように、冷温表示部１１を銘板１の中心に配置し、その両側に売切表示部１４と準備中表示部１５とを振り分け状に配置しても良い。この場合は、冷温表示部１１の表示が一層、明瞭に外観される。
【図面の簡単な説明】
【００３８】
【図１】実施の形態の商品選択スイッチを配備した自動販売機の前面パネル面を示す正面図である。
【図２】商品選択スイッチを示す断面図である。
【図３】商品選択スイッチを示す断面図である。
【図４】銘板を示す正面図である。
【図５】冷温表示部が発光表示する例を示す説明正面図である。
【図６】銘板の他の実施の形態を示す正面図である。
【図７】従来の商品選択スイッチを配備した自販機を示す正面図である。
【図８】従来の銘板を示す正面図である。
【符号の説明】
【００３９】
１      銘板
２      商品選択スイッチ
３      自販機
１１    冷温表示部
１２    透明輪郭部
１４    売切表示部
１５    準備中表示部
１１ａ  「温」の文字
１１ｂ  「冷」の文字
２１    ケース体
２２    透明押しボタン部
２６    売切表示用ＬＥＤ
２７    準備中表示用ＬＥＤ
２９ａ  赤色ＬＥＤ
２９ｂ  青色ＬＥＤ
３１    ダミー缶  
【図１】
2010287147.tif 000003
【図２】
2010287147.tif 000004
【図３】
2010287147.tif 000005
【図４】
2010287147.tif 000006
【図５】
2010287147.tif 000007
【図６】
2010287147.tif 000008
【図７】
2010287147.tif 000009
【図８】
2010287147.tif 000010